【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
少なくとも３層の樹脂層からなる原反層を備える化粧シートであって、
前記樹脂層が、ポリオレフィン系樹脂に対して超臨界逆相蒸発法によってベシクルに分散剤を内包させた分散剤内包ベシクルと、無機フィラーとを添加して熱可塑性樹脂組成物からなる層として形成されており、
前記樹脂層のうち前記原反層の表面に位置する樹脂層には、内側に位置する樹脂層よりも少ない配合量で前記無機フィラーが配合されていることを特徴とする化粧シート。
【請求項２】
前記原反層の表面に位置する樹脂層は、ポリオレフィン系樹脂１００重量部に対して、前記無機フィラーが５０重量部未満配合された前記熱可塑性樹脂組成物からなり、
前記内側に位置する樹脂層のうち少なくとも１層は、ポリオレフィン系樹脂１００重量部に対して、前記無機フィラーが５０〜９００重量部配合された前記熱可塑性樹脂組成物からなることを特徴とする請求項１に記載の化粧シート。
【請求項３】
前記無機フィラーの平均粒子径が、０．３μｍ以上，５μｍ以下であることを特徴とする請求項１または請求項２に記載の化粧シート。
【請求項４】
前記ベシクルが、リン脂質からなる外膜を具備するリポソームであることを特徴とする請求項１乃至請求項３のいずれか１項に記載の化粧シート。
【請求項５】
前記無機フィラーが、炭酸カルシウムを含むことを特徴とする請求項１乃至請求項４のいずれか１項に記載の化粧シート。
【請求項６】
前記分散剤が、高分子系の界面活性剤、脂肪酸金属、シランカップリング剤、チタネートカップリング剤、シリコーン、ワックスまたは変性樹脂のいずれか１つであることを特徴とする請求項１乃至請求項５のいずれか１項に記載の化粧シート。
【請求項７】
前記原反層が、一軸延伸加工または二軸延伸加工を施されていることを特徴とする請求項１乃至請求項６のいずれか１項に記載の化粧シート。
【請求項８】
前記化粧シートが、不燃性基材と貼り合わせた状態でＩＳＯ５６６０−１に準拠したコーンカロリーメータ試験機による発熱性試験において、建築基準法施工令第１０８条の２第１号および第２号に記載の要件を満たす不燃材料であることを特徴とする請求項１乃至請求項７のいずれか１項に記載の化粧シート。
【請求項９】
引張弾性率が、５００ＭＰａ以上，２０００ＭＰａ以下であり、引張破断伸度が、２００％以上であることを特徴とする請求項１乃至請求項８のいずれか１項に記載の化粧シート。
【請求項１０】
少なくとも３層の樹脂層からなる原反層を備える化粧シートの製造方法であって、
前記樹脂層を、ポリオレフィン系樹脂に対して超臨界逆相蒸発法によってベシクルに分散剤を内包させた分散剤内包ベシクルと、無機フィラーとを添加して熱可塑性樹脂組成物からなる層として形成し、
前記樹脂層のうち前記原反層の表面に位置する樹脂層には、内側に位置する樹脂層よりも少ない配合量で前記無機フィラーが配合されていることを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築内装材、建具の表面材、家電製品の表面材等に用いられる樹脂層を積層した化粧シートおよび化粧シートの製造方法に関するもので、当該樹脂層のうち原反層に対してベシクル化された分散剤と、無機フィラーとが配合された化粧シートおよび化粧シートの製造方法に関する。
【手続補正４】
【補正対象書類名】明細書
【補正対象項目名】０００６
【補正方法】変更
【補正の内容】
【０００６】
そこで、本発明においては、ポリオレフィン系樹脂に対して超臨界逆相蒸発法によってベシクルに分散剤を内包させた分散剤内包ベシクルとフィラーとを配合することにより、製造適正および耐後加工性に優れた、不燃材料の技術的基準を満たす化粧シートおよび化粧シートの製造方法を提供することを目的とする。
【手続補正５】
【補正対象書類名】明細書
【補正対象項目名】０００７
【補正方法】変更
【補正の内容】
【０００７】
上記課題を解決するべく、本発明の第１の態様の化粧シートは、少なくとも３層の樹脂層からなる原反層を備える化粧シートであって、前記樹脂層が、ポリオレフィン系樹脂に対して超臨界逆相蒸発法によってベシクルに分散剤を内包させた分散剤内包ベシクルと、無機フィラーとを添加して熱可塑性樹脂組成物からなる層として形成されており、前記樹脂層のうち前記原反層の表面に位置する樹脂層には、内側に位置する樹脂層よりも少ない配合量で前記無機フィラーが配合されていることを特徴とする。
【手続補正６】
【補正対象書類名】明細書
【補正対象項目名】０００８
【補正方法】変更
【補正の内容】
【０００８】
このような、本発明の第１の態様の化粧シートにおいては、超臨界逆相蒸発法によってベシクルに分散剤を内包させた分散剤内包ベシクルを配合することにより、ポリオレフィン系樹脂に対して無機フィラーを二次凝集させることなく均一に分散させることができるので、化粧シートに要求される機械的強度を備えた化粧シートを提供することを可能とする。さらに、原反層を構成する樹脂層のうち、表面に位置する樹脂層では、内側に存在する樹脂層よりも少ない配合量で無機フィラーを配合するようにされているため、原反層の表面に無機フィラーが析出することがなく良好な平滑性を実現することができるので、絵柄印刷や他層の積層などの製造適正に優れた原反層とすることができる。
【手続補正７】
【補正対象書類名】明細書
【補正対象項目名】００２３
【補正方法】変更
【補正の内容】
【００２３】
本発明の第９の態様の化粧シートは、引張弾性率が、５００ＭＰａ以上，２０００ＭＰａ以下であり、引張破断伸度が、２００％以上であることを特徴とする。このような、本発明の第９の態様の化粧シートにおいては、上記のような引張弾性率および引張破断伸度とすることにより、Ｖカット曲げ加工などの耐後加工性に優れた化粧シートを提供することができる。
【手続補正８】
【補正対象書類名】明細書
【補正対象項目名】００２４
【補正方法】変更
【補正の内容】
【００２４】
本発明の化粧シートの製造方法は、少なくとも３層の樹脂層からなる原反層を備える化粧シートの製造方法であって、前記樹脂層を、ポリオレフィン系樹脂に対して超臨界逆相蒸発法によってベシクルに分散剤を内包させた分散剤内包ベシクルと、無機フィラーとを添加して熱可塑性樹脂組成物からなる層として形成し、前記樹脂層のうち前記原反層の表面に位置する樹脂層には、内側に位置する樹脂層よりも少ない配合量で前記無機フィラーが配合されていることを特徴とする。
【手続補正９】
【補正対象書類名】明細書
【補正対象項目名】００２５
【補正方法】変更
【補正の内容】
【００２５】
本発明の化粧シートおよび化粧シートの製造方法によれば、ポリオレフィン系樹脂に対して超臨界逆相蒸発法によってベシクルに分散剤を内包させた分散剤内包ベシクルとフィラーとを配合することにより、製造適正および耐後加工性に優れた、不燃材料の技術的基準を満たす化粧シートおよび化粧シートの製造方法を提供することを可能とする。
【手続補正１０】
【補正対象書類名】明細書
【補正対象項目名】００２７
【補正方法】変更
【補正の内容】
【００２７】
本発明の化粧シートは、少なくとも３層の樹脂層からなる原反層を備える化粧シートであって、当該樹脂層が、ポリオレフィン系樹脂に対して超臨界逆相蒸発法によってベシクルに分散剤を内包させた分散剤内包ベシクルと、無機フィラーとを添加して熱可塑性樹脂組成物からなる層として形成されており、当該樹脂層のうち原反層の表面に位置する２層には、内側に位置する樹脂層よりも少ない配合量で前記無機フィラーが配合されていることが重要である。このような構成とすることにより、原反層の表面に無機フィラーが析出して平滑性が損なわれることを抑制することができる。その結果、原反層への絵柄印刷や他層の積層などの製造適正を良好なものとすることができる。
【手続補正１１】
【補正対象書類名】明細書
【補正対象項目名】００３１
【補正方法】変更
【補正の内容】
【００３１】
本発明においては、分散剤は超臨界逆相蒸発法によってベシクルに分散剤を内包させた分散剤内包ベシクルを用いることが重要である。このような、ベシクル内に内包された状態の分散剤は、当該ベシクルとポリオレフィン系樹脂とを混練した際に、これらの混合物中においてベシクルが凝集することなく均一に分散するため、ポリオレフィン樹脂中に分散剤を均一に分散させることができるとともに、本発明においては、当該ベシクル化された分散剤と、無機フィラーとを配合することにより、当該ベシクル化された分散剤が分散する作用によって当該無機フィラーをも凝集させることなくポリオレフィン系樹脂中に均一に分散させることを可能とする。
【手続補正１２】
【補正対象書類名】明細書
【補正対象項目名】００６１
【補正方法】変更
【補正の内容】
【００６１】
以上のように、本発明の化粧シート１においては、３層の樹脂層２ａ〜２ｃからなる原反層２を備え、当該樹脂層２ａ〜２ｃに対して超臨界逆相蒸発法によってベシクルに分散剤を内包させた分散剤内包ベシクルと無機フィラーとを配合するようにしているので、樹脂層２ａ〜２ｃの主成分であるポリオレフィン系樹脂中において無機フィラーを均一に分散させることができる。その結果、原反層２の表面において無機フィラーの二次凝集に起因する凹凸が生じることがなく平滑性に優れた表面を有する原反層２とすることができるので、絵柄印刷や他層の積層などの製造適正を容易に施すことができる。
【手続補正１３】
【補正対象書類名】明細書
【補正対象項目名】００８９
【補正方法】変更
【補正の内容】
【００８９】
以上の結果から明らかなように、本発明の超臨界逆相蒸発法によってベシクルに分散剤を内包させた分散剤内包ベシクルと、無機フィラーとを添加し、かつ、少なくとも３層の樹脂層２ａ〜２ｃからなる原反シート２を使用し、当該樹脂層２ａ〜２ｃのうち内側に位置する樹脂層２ｂよりも外側に位置する樹脂層２ａ，２ｃに配合する無機フィラーの配合量を少なくした実施例１，２による化粧シート１は、比較例１〜３の化粧シート１との比較において、不燃性能と原反シート２に求められる機械物性および印刷適正に優れた化粧シート１と言える。
【手続補正１４】
【補正対象書類名】明細書
【補正対象項目名】００９０
【補正方法】変更
【補正の内容】
【００９０】
本発明の化粧シート１および化粧シート１の製造方法は、上記の実施形態および実施例に限定されるものではなく、発明の特徴を損なわない範囲において、種々の変更が可能である。